【手続補正書】
【提出日】平成18年9月19日(2006.9.19)
【手続補正１】
【補正対象書類名】特許請求の範囲
【補正対象項目名】全文
【補正方法】変更
【補正の内容】
【特許請求の範囲】
【請求項１】
拠点毎に設置された複数の画像出力装置の色管理を行うべく、前記拠点毎に配置され前記画像出力装置から出力される出力物の測定を行う複数の測色計の測定値とその測定の基準値とに基づいて補正した前記出力物の測定値に関する情報を提供する色管理システムであって、
前記測色計により測定された色見本の測定値と、それ以降に測定された前記出力物の測定値及びその測定日を送信する測定値送信手段を有する複数の端末装置と、
前記複数の端末装置とネットワークを介して接続され、基準となる測色計により測定された前記色見本の測定値を予め前記基準値として格納する測定値格納手段と、
前記測定値送信手段から送信された色見本の測定値と前記出力物の測定値及びその測定日を受信する測定値受信手段と、
前記受信した色見本の測定値を前記格納されている基準値に近似させる補正を行う補正式を導出する補正式導出手段と、
前記受信した出力物の測定値を前記導出した補正式によって補正し、前記補正した出力物の測定値の測定日に基づいて、前記補正した出力物の測定値の経時的変化を示す情報を前記端末装置から閲覧可能に生成する情報生成手段と、
を有する管理サーバーと、を備えたことを特徴とする色管理システム。
【請求項２】
前記端末装置は、前記情報生成手段により生成された前記補正した出力物の測定値の経時的変化を示す情報を取得する取得手段と、前記取得手段により取得された前記補正した出力物の測定値の経時的変化を示す情報を表示する表示手段と、をさらに備えたことを特徴とする請求項１記載の色管理システム。
【請求項３】
拠点毎に設置された複数の画像出力装置の色管理を行うべく、前記拠点毎に配置され前記画像出力装置から出力される出力物の測定を行う複数の測色計の測定値とその測定の基準値とに基づいて補正した前記出力物の測定値に関する情報を提供する色管理方法であって、
前記拠点毎に配置された複数の端末装置において、
前記測色計により測定された色見本の測定値と、それ以降に測定された前記出力物の測定値及びその測定日を送信する測定値送信ステップと、
前記複数の端末装置とネットワークを介して接続された管理サーバーにおいて、
基準となる測色計により測定された前記色見本の測定値を予め前記基準値として格納する測定値格納ステップと、
前記測定値送信ステップにおいて送信された色見本の測定値と前記出力物の測定値及びその測定日を受信する測定値受信ステップと、
前記受信した色見本の測定値と前記格納されている基準値に近似させる補正を行う補正式を導出する補正式導出ステップと、
前記受信した出力物の測定値を前記導出した補正式によって補正し、前記補正した出力物の測定値の測定日に基づいて、前記補正した出力物の測定値の経時的変化を示す情報を前記端末装置から閲覧可能に生成する情報生成ステップと、
を含むことを特徴とする色管理方法。
【手続補正２】
【補正対象書類名】明細書
【補正対象項目名】００１１
【補正方法】変更
【補正の内容】
【００１１】
上記課題を解決するために、請求項１記載の発明は、拠点毎に設置された複数の画像出力装置の色管理を行うべく、前記拠点毎に配置され前記画像出力装置から出力される出力物の測定を行う複数の測色計の測定値とその測定の基準値とに基づいて補正した前記出力物の測定値に関する情報を提供する色管理システムであって、前記測色計により測定された色見本の測定値と、それ以降に測定された前記出力物の測定値及びその測定日を送信する測定値送信手段を有する複数の端末装置と、前記複数の端末装置とネットワークを介して接続され、基準となる測色計により測定された前記色見本の測定値を予め前記基準値として格納する測定値格納手段と、前記測定値送信手段から送信された色見本の測定値と前記出力物の測定値及びその測定日を受信する測定値受信手段と、前記受信した色見本の測定値を前記格納されている基準値に近似させる補正を行う補正式を導出する補正式導出手段と、前記受信した出力物の測定値を前記導出した補正式によって補正し、前記補正した出力物の測定値の測定日に基づいて、前記補正した出力物の測定値の経時的変化を示す情報を前記端末装置から閲覧可能に生成する情報生成手段と、を有する管理サーバーと、を備えたことを特徴とする。
【手続補正３】
【補正対象書類名】明細書
【補正対象項目名】００１２
【補正方法】変更
【補正の内容】
【００１２】
上記課題を解決するために、請求項３記載の発明は、拠点毎に設置された複数の画像出力装置の色管理を行うべく、前記拠点毎に配置され前記画像出力装置から出力される出力物の測定を行う複数の測色計の測定値とその測定の基準値とに基づいて補正した前記出力物の測定値に関する情報を提供する色管理方法であって、前記拠点毎に配置された複数の端末装置において、前記測色計により測定された色見本の測定値と、それ以降に測定された前記出力物の測定値及びその測定日を送信する測定値送信ステップと、前記複数の端末装置とネットワークを介して接続された管理サーバーにおいて、基準となる測色計により測定された前記色見本の測定値を予め前記基準値として格納する測定値格納ステップと、前記測定値送信ステップにおいて送信された色見本の測定値と前記出力物の測定値及びその測定日を受信する測定値受信ステップと、前記受信した色見本の測定値と前記格納されている基準値に近似させる補正を行う補正式を導出する補正式導出ステップと、前記受信した出力物の測定値を前記導出した補正式によって補正し、前記補正した出力物の測定値の測定日に基づいて、前記補正した出力物の測定値の経時的変化を示す情報を前記端末装置から閲覧可能に生成する情報生成ステップと、を含むことを特徴とする。
【手続補正４】
【補正対象書類名】明細書
【補正対象項目名】００２７
【補正方法】変更
【補正の内容】
【００２７】
管理サーバー１を管理する管理者は、まず事前準備として、上述した測色計補正用カラーチャートＰの色彩や濃度を、所定の測定点の位置及び測定順に従って、基準となる測色計Ｓ０により測定する作業を行う。
【手続補正５】
【補正対象書類名】明細書
【補正対象項目名】００４０
【補正方法】変更
【補正の内容】
【００４０】
〔補正式導出ステップ〕
一方、補正式導出部１ｆは、格納部１ａに格納された基準器測定データとユーザ測定器補正後測定データを参照することで、補正後の測色計Ｓ１による測色計補正用カラーチャートＰの測定値と、基準となる測色計Ｓ０による測色計補正用カラーチャートＰの測定値とに基づいて、補正後の測色計Ｓ１による測色計補正用カラーチャートＰの測定値を基準となる測色計Ｓ０による測色計補正用カラーチャートＰの測定値に近似させる補正を行う補正式を複数導出する。尚、補正式導出部１ｆは、この際、例えばＣＩＥ（Ｃｏｍｍｉｓｓｉｏｎ  Ｉｎｔｅｒｎａｔｉｏｎａｌｅ  ｄｅ  ｌ‘Ｅｃｌａｉｒａｇｅ：国際照明委員会）  Ｌ＊ａ＊ｂ＊表色系にて表現された測定値をＸＹＺ（三刺激値）表色系にて表現される測定値へ変換した上で、上述した複数の補正式を導出するものとする。これは、ＸＹＺ（三刺激値）表色系においては、測定値を常に正の値で表現することができ、測定値の補正を行うことが容易になるからである。但し、測色計Ｓ１〜Ｓ３の構成によっては、測定値がＸＹＺ（三刺激値）表色系にて算出されることがあり、このような場合には、上述した変換を行う必要はなくなる。